(57)【特許請求の範囲】
【請求項１】
内部に冷却剤供給用の孔を備え、その先端が先端壁により閉じられた略円筒状のシャンクと、該シャンクの前記先端壁上に固着された略円柱状の切削部材とを備えたコンクリート用ドリルにおいて、前記切削部材には、一つの直径方向に伸び、一端が前記直径の一端側外周部において開口し、他端が前記切削部材の中心と前記直径の他端との間で閉じたスリットが形成され、該スリットは前記他端側から前記一端側へ向かうにつれてその幅が漸増し、前記シャンクの前記先端壁には、一端が前記冷却剤供給孔に通じ、他端が、前記切削部材の中心と前記スリットの他端との間で前記スリットに臨んで開口している小孔が設けられ、前記シャンクの前記先端壁の外側面には、前記切削部材の前記スリットに対応した位置で、中心部から外周部に向かって延びる、有底のスリットが形成されていることを特徴とする、コンクリート用ドリル。
【請求項２】
請求項１記載のコンクリート用ドリルにおいて、前記シャンクの前記スリットは、外周部に向かうにつれて深くなっていることを特徴とする、コンクリート用ドリル。
【請求項３】
請求項２記載のコンクリート用ドリルにおいて、前記シャンクの前記スリットの内側の端部は、前記切削部材の中心より前記小孔側へずれていることを特徴とする、コンクリート用ドリル。
【発明の詳細な説明】
【０００１】
【産業上の利用分野】
本発明はコンクリート用ドリルに関し、さらに詳細に言えば、コンクリート製構造物の床、壁、天井等に小径の孔を穿孔するのに適した、ドリルに関する。
【０００２】
【従来の技術】
コンクリート製構造物の壁面や壁等に種々の目的で小さな孔を穿孔することがあり、その場合に、シャンクの先端にダイヤモンドビット等の切削部材を固着したドリルが使用される。
【０００３】
このようなドリルにおいて、穿孔の際に生じる粉塵の飛散を防止し、且つドリルの温度上昇を押さえて穿孔能力の低下を防止する目的で、切削部材に冷却剤を供給するよう構成したものがある。
【０００４】
特開平１１−１０４２５は、そのような冷却剤を供給できるタイプのコンクリート用ドリルの一例を開示している。即ち、図３はそのドリルの先端側から見た平面図で、そのドリル１は、内部に冷却剤供給用の孔３ａを備えた円筒状のシャンク３の先端に略円柱状のダイヤモンドビットからなる切削部材５を固着して形成されている。ダイヤモンドビット５には、外周部から中心に向かって延び、一端が外周部において開口し、他端が閉じているスリット或いは切り欠き７が形成されている。他方シャンク３の先端には、一端が内部の冷却剤供給用孔に通じ、他端が、ダイヤモンドビット５の外周部近傍でスリット７に臨んで開口した噴出孔９が設けられており、この噴出孔９から冷却剤を噴出し、ダイヤモンドビット５を冷却するとともに、この冷却剤の流れを利用してコンクリートの切削切り粉を排出を助長しようとするものである。
【０００５】
ところで、このドリル１においては、噴出孔９がダイヤモンドビット５の外周部近くに位置しているために、穿孔作業を行うにつれて、図中符号Ａで示すスリット７の閉じた端部と噴出孔９との間の領域に入った切り粉は、噴出孔９からの冷却剤の流れの方向の関係から、スリット７内でビット５の外周方向へは移動しにくく、この領域に切り粉が溜まりやすく、遂には噴出孔自体が詰まってしまうことがある。このような問題は、コンクリートへの穿孔の場合のみでなく、屋上防水の目的で施工した防水シート材に孔明けを行う場合にも生じる。
【０００６】
【発明が解決しようとする課題】
本願発明は上記従来技術に於ける問題点に鑑みなされたものであり、本願発明は、冷却剤の噴出孔を目詰まりを防止し、切削部材の冷却と、切り粉の排出を容易に行うことのできるコンクリート用ドリルを提供することを目的とする。
【０００７】
【課題を解決するための手段】
上記課題を解決するために、本発明のコンクリート用ドリルにおいては、切削部材には、一つの直径方向に伸び、一端がこの直径の一端側外周部において開口し、他端が切削部材の中心と前記直径の他端との間で閉じたスリットが形成する。このスリットは前記他端側から前記一端側へ向かうにつれてその幅が漸増する形状とする。そしてシャンクの先端壁には、一端が内部の冷却剤供給孔に通じ、他端が、切削部材の中心と前記スリットの他端との間で前記スリットに臨んで開口している小孔が設けられる。そして、シャンクの先端壁の外側面には、切削部材のスリットに対応した位置で、中心部から外周部に向かって延びる、有底のスリットが形成されている。
【０００８】
ある実施の形態では、シャンク先端壁外側面に形成したスリットは、外周部に向かうにつれて深くなっている。
【０００９】
【発明の実施の形態】
以下、図面に基づき本願発明の具体的実施の形態を説明するが、本願発明の範囲は以下に説明される実施の形態に限定されるものではない。
【００１０】
図１は、本発明の第１の実施の形態に係るコンクリート用ドリル１１を示す図で、（イ）は平面図であり、（ロ）は図イのロ−ロ線による断面図である。
【００１１】
図において、１３は略円筒状のシャンクである。該シャンク１３の内部には、その基部即ち図ロで見た場合の下端が開き、その先端即ち図ロで見た場合の上端が閉じた軸方向に延びる孔１５が形成されている。この孔１５は径が下端側から順次小さくなるように多段になっており、その途中に雌ねじ１７が刻設されている。このドリル１１は、この雌ねじ１７を介して穿孔機（図示せず）の回転軸に取り付けられる。また、この孔１５内へは、穿孔機から水等の冷却剤が供給される。
【００１２】
シャンク１３の先端面すなわち、孔１５の先端を閉じる先端壁１９の外側面上に、本実施の形態ではダイヤモンドビットである切削部材２５が、接着等適宜手段で固着されている。ダイヤモンドビット２５は略円柱状に形成され、シャンク１３に対し、互いに同心となるように位置決めされて取り付けられている。なお図から判るとおり、ダイヤモンドビット２５の径は、シャンク１３の径より大きくなっている。
【００１３】
ダイヤモンドビット２５には、その高さ方向全長に渡るスリット或いは切り欠き２７が形成されている。このスリット２７は、ダイヤモンドビット２５の一つの直径に沿って延びるように形成され、その一端は、ダイヤモンドビット２５の直径の一端側の外周部で開口した開口部２９となっている。スリット２７の他端側は、ダイヤモモンドビット２５の中心３３と前記直径の他端側外周部との間に位置して閉じた閉端部３１となっている。そしてスリット２７の形状は直径の線を挟んで対称となっており、その直径を挟む方向の幅は、閉端部３１から開口部２９へ向かうにつれて漸増する形となっている。
【００１４】
シャンク１３の先端壁１９には、一端において孔１５に連通し、他端が先端壁１９の外側面１９ａにおいてダイヤモンドビット２５のスリット２７内に臨んで開口している小孔２１が形成されている。小孔２１の開口位置は、ダイヤモンドビット２５の中心３３とスリット２７の閉端部３１との間であり、本実施の形態では、閉端部３１に近接した位置となっている。図から明らかなとおり、小孔２１は中心３３から完全に外れて位置している。この小孔２１は、ドリル１１で穿孔作業を行う際に、シャンク１３の孔１５内に送り込まれた冷却剤が噴出する噴出孔となる。
【００１５】
上記の如き構成からなるドリルを用いて例えばコンクリート壁に孔明け作業を行うと、ダイヤモンドビット２５のスリット２７の上側開口部２７ａはコンクリートの壁面により閉じられた状態となる。また、スリット２７の下側開口部２７ｂはシャンク１３の先端壁１９ａにより閉じられている。そして直径方向においては一方が閉端部３１となっているので、小孔２１から噴出した冷却剤は、図中に符号Ｗで示したように、中心３３を越え、開口部２９へと向かう激しい流れとなる。従って、スリット２７内へ入り込んだコンクリートの切り粉には、ドリル１１の回転により生じる、スリット２７の開口部２９の方向へ向かう遠心力に加え、この開口部２９へ向かう冷却剤の流れの作用が働くこととなり、切り粉は確実に開口部２９を通ってスリット２７の外へと排出される。この際、スリット２７の幅が開口部２９に向かうにつれて大きくなっているので、切り粉の排出に好都合である。もちろん、この冷却剤はダイヤモンドビットを冷却し、その切削能力を維持する働きをする。
【００１６】
図２は本発明の第２の実施の形態に係るコンクリート用ドリル４１を示す図で、（イ）は平面図、（ロ）は図イのロ−ロ線による断面図である。この実施の形態におけるドリル４１が、第１の実施の形態でのドリル１１と異なる点は、シャンク４３の先端壁の外側面に窪み或いはスリット４５を設けた点であり、他の構成においては共通するので、それら共通の部材及び構成には同じ符号を付し、その説明は省略する。
【００１７】
シャンク４３の先端壁４５には、その外側面側において、ダイヤモンドビット２５のスリット２７の下方に位置するように、スリット４７が形成されている。すなわちスリット４７は、図ロに示されるように、シャンク４３の先端壁の中央部からダイヤモンドビットのスリット２７の開口部２９側の外周部へと右下がりに形成されている。その幅方向の形状は、本実施の形態ではダイヤモンドビット２５のスリット２７の形状に合わせてあり、その幅は外周側開口部４７ｂに向かうにつれて漸増するようになっている。また、スリット４５の内側端部４７ａは、中心３３より若干小孔２１側へずれた位置にある。
【００１８】
以上の如き実施の形態においては、シャンク４３に形成されたスリット或いは窪み４７は、切り粉が流れるスペースを広くして切り粉が流れやすくし、切り粉による詰まりを防止する効果をさらに増大する。また、スリット４７の底面は外周側開口部４７ｂに向かって次第に下がるように傾斜しており、その内側端部４７ａが中心３３より小孔側へずれているので、穿孔中に仮に中心部に細いコンクリートのコアが形成されても、そのコアはスリット４７のこの傾斜した底面に当たり、簡単に折れてしまい、他の切り粉とともに容易に排出される。
【００１９】
なお、スリット或いは窪み４７の形状は上に説明したものに限定されるものではなく、必要に応じて適宜変更可能である。例えば内側端部４７ａにおいてある深さを有するようにしてもよい。底面については平らでもよいが、切り粉の流れを考慮した場合、外周部に向かって下がるように傾斜させるのが望ましい。幅方向の形状も必ずしもダイヤモンドビットのスリットの形状に合わせる必要はない。幅が均一なものでもよいが、切り粉の流れを考慮した場合、外周部に向かって漸増する形状が望ましい。
【００２０】
【発明の効果】
以上詳述したとおり、本発明に係るコンクリート用ドリルによれば、切り粉が冷却剤の流れの作用を受けて確実に切削部材のスリットから排出され、切り粉による冷却剤噴出孔の詰まりを防止できる。
【００２１】
シャンクの先端壁外面側に、切削部材のスリットに対応して窪み或いはスリットを設けた場合には、切り粉の流れるスペースが拡大され、さらに切り粉の詰まりを防止する効果が増大される。
【図面の簡単な説明】
【図１】本発明の第１の実施の形態に係るコンクリート用ドリルを示す図であり、イは平面図、ロは図イのロ−ロ線による断面図である。
【図２】第２の実施の形態に係るコンクリート用ドリルを示す図である。
【図３】従来例を示す平面図である。
【符号の説明】
１１  コンクリート用ドリル
１３  シャンク
１５  冷却剤供給用孔
１９  先端壁
２１  小孔（噴出孔）
２５  切削部材（ダイヤモンドビット）
２７  スリット
２９  開口部
３１  閉端部
【図１】
0004327303.tif 000002
【図２】
0004327303.tif 000003
【図３】
0004327303.tif 000004